(57)【特許請求の範囲】
【請求項１】
前部抽斗と後部抽斗を筐体の収納部に収納してなる抽斗付き筐体において、
前記前部抽斗の高さより前記後部抽斗の高さを低くすると共に、前記前部抽斗をその後部側上部を中心に回動し得るように前記前部抽斗の後部側上部と前記後部抽斗の前部側上部を連結材により連結し、
前記収納部の開口部上部に前記前部抽斗の後部上端が突当たるストッパを設け、このストッパの突出長を前記前部抽斗を回動させたとき、前記前部抽斗の後部上端が潜り抜けられる長さとしたことを特徴とする抽斗付き筐体。
【請求項２】
請求項１記載の抽斗付き筐体において、
前記連結材は折曲可能なシート材とし、このシート材を前記前部抽斗の後部側上端と前記後部抽斗の前部側上端を跨がせるようにして一端を前記前部抽斗の後部側内面に固定すると共に他端を前記後部抽斗の前部側内面に固定したことを特徴とする抽斗付き筐体。
【請求項３】
請求項１記載の抽斗付き筐体において、
前記連結材は折曲可能なシート材とし、このシート材を前記後部抽斗の前部側上端を跨がせるようにして一端を前記前部抽斗の後部側外面に固定すると共に他端を前記後部抽斗の前部側内面に固定したことを特徴とする抽斗付き筐体。
【請求項４】
請求項１記載の抽斗付き筐体において、
前記連結材は折曲可能な蝶番とし、この蝶番の一方の取付け板を前記前部抽斗の後部側外面に固定すると共に他方の取付け板を前記後部抽斗の前部側外面に固定したことを特徴とする抽斗付き筐体。
【請求項５】
請求項１記載の抽斗付き筐体において、
前記前部抽斗の後部側下端の角部を面取りするか曲面にしたことを特徴とする抽斗付き筐体。
【発明の詳細な説明】
【技術分野】
【０００１】
本発明は、小物入れや、家具、事務用品等の抽斗付きの筐体に関するものである。
【背景技術】
【０００２】
従来のこの種の抽斗付き筐体として、例えば、特許文献１に示されるものがある。
この特許文献１の抽斗付き筐体（隠し抽斗つき収納家具）は、外箱の正面から出し入れする抽斗を、取っ手を有する前部抽斗と取っ手のない後部抽斗とに分離すると共に、後部抽斗は外箱の背壁内面と略同じ表面状態に見えるような材質及び色彩として、前部抽斗を外箱から引き抜いたとき、貴重品等を入れる後部抽斗の存在が気づかれないようにし、後部抽斗を引出す場合は、後部抽斗の前面に吸盤を吸着させて引出せるようにしている。
【特許文献１】実開平０４−１２０６３７号公報（第３頁第１８行〜第４頁２６行、図１）
【発明の開示】
【発明が解決しようとする課題】
【０００３】
しかしながら、上述した従来の技術においては、後部抽斗を引出す場合は、前部抽斗を外箱から引き抜いてから、吸盤を使って引出さなければならないため、操作性が悪いという問題がある。
本発明は、このような問題を解決し、後部抽斗の存在を知られることなく引出し操作の操作性を向上させることを課題とする。
【課題を解決するための手段】
【０００４】
そのため、本発明は、前部抽斗と後部抽斗を筐体の収納部に収納してなる抽斗付き筐体において、前記前部抽斗の高さより前記後部抽斗の高さを低くすると共に、前記前部抽斗をその後部側上部を中心に回動し得るように前記前部抽斗の後部側上部と前記後部抽斗の前部側上部を連結材により連結し、前記収納部の開口部上部に前記前部抽斗の後部内面が突当たるストッパを設け、このストッパの突出長を前記前部抽斗を回動させたとき、前記前部抽斗の後部上端が潜り抜けられる長さとしたことを特徴とする。
【発明の効果】
【０００５】
このようにした本発明は、前部抽斗を引出したとき、前部抽斗の後部板の上端がストッパに突当たって抜け止めがなされるため、前部抽斗を引出しても高さの低い後部抽斗の存在を知られることがなく、また後部抽斗を引出す場合は、前部抽斗の前部側を持ち上げることにより前部抽斗を回転させると、前部抽斗の後部板の上端が収納部のストッパの下側を潜り抜けて後部抽斗を引出せるので、前部抽斗の引出し操作と連続的な操作で後部抽斗を引出すことができることになり、引出し操作の操作性が向上するという効果が得られる。
【発明を実施するための最良の形態】
【０００６】
以下、図面を参照して本発明による抽斗付き筐体の実施例を説明する。
【実施例】
【０００７】
図１は実施例を示す断面図、図２は実施例における抽斗の斜視図である。
図において１は前部抽斗、２は後部抽斗、３は前部抽斗１の後部と後部抽斗２の前部を連結している曲折可能な連結材、４は連結された前部抽斗１と後部抽斗２を収納する収納部４ａを有する筐体である。
前部抽斗１の前部板の正面には把手１ａが設けられ、また後部板１ｂの下端角部には面取り１ｃが施されている。この面取り１ｃは後述する前部抽斗１の回転を容易にするためのもので、面取り１ｂの代わりに湾曲面にしてもよい。
【０００８】
後部抽斗２は前部抽斗１より奥行き方向の寸法を短くし、かつ高さも前部抽斗１より低くしてあって、後述するストッパに係合しないようにしてある。
連結材３は、繰返しの折り曲げに対して切断しにくくかつ可撓性あるいは柔軟性を有する紙、布、革、プラスチックフィルム等のシート材で形成されており、このシート材による連結材３は前部抽斗１及び後部抽斗の内寸幅と同等の幅を有し、前部抽斗１の後部板上面と後部抽斗２の前部板上面を跨がせるようにして、一端を前部抽斗１の後部板１ｂの内面に、他端を後部抽斗２の前部板２ａの内面にそれぞれ接着剤等で固定することにより前部抽斗１と後部抽斗２を連結している。
【０００９】
筐体４には、前部抽斗１と後部抽斗２の数に応じて収納部４ａが設けられている。収納部４ａは前部を開口し、高さ及び幅は前部抽斗１の高さ及び幅に合わせて大きな隙間が生じないように形成されており、そして収納部４ａの開口部上面側には前部抽斗１の後部板の上端が突当たりかつ後部抽斗２は当たらない突出長としたストッパ４ｂが下方に向けて突出形成されている。
【００１０】
このような構成による抽斗付き筐体の作用について説明する。
連結材３により連結された前部抽斗１と後部抽斗２を筐体４の収納部４ａに収納した状態において、前部抽斗１の把手１ａを持って直線的に引出してゆくと、連結材３により前部抽斗１に連結された後部抽斗２も移動し、そして前部抽斗１が収納部４ａから抜ける直前で、図１に示したように前部抽斗１の後部板１ｂの上端が収納部４ａの開口部にあるストッパ４ｂに突当たるため、前部抽斗１は抜け止めされて、それ以上引出せない状態になる。
【００１１】
この状態では、前部抽斗１の直後に存在する後部抽斗２の高さは、前部抽斗１より若干低く形成してあるので、前部抽斗１と収納部４ａの開口部との間に少々の隙間があっても、前部抽斗１側から後部抽斗２は見えず、そのため他人が前部抽斗１を引出したとしても後部抽斗２の存在が知られることはないので、後部抽斗２を貴重品等の収納に利用することができる。
【００１２】
後部抽斗２を収納部４ａから引出すには、前記のように前部抽斗１の後部板１ｂの上端が収納部４ａのストッパ４ｂに突当たるまで引出した後、前部抽斗１の前部側を持ち上げると、連結部材４が曲折可能であるので前部抽斗１は後部板１ｂの上端部を中心に図１に二点鎖線で示したように回転して傾く。
このとき、前部抽斗１の後部板１ｂの下端部に面取り１ｃが施してあるので、前部抽斗１の後部板１ｂ収納部４ａの底面により回転を妨げられることなく、スムーズに回転することができる。
【００１３】
これにより前部抽斗１の後部板１ｂの上端が収納部４ａのストッパ４ｂの下側を潜り抜けるので、そのまま前部抽斗１を引出すと、後部抽斗２はストッパ４ｂに突当たることなく収納部４ａから引出される。
前部抽斗１を筐体４の収納部４ａに再び収納させるには、まず前部抽斗１を押して後部抽斗２を収納部４ａに押し込み、前部抽斗１の後部板１ｂの上端が収納部４ａのストッパ４ｂに当たる位置で前部抽斗１を図１に二点鎖線で示したように傾け、引出し時と逆に前部抽斗１を下方に回転させる。
【００１４】
これにより前部抽斗１の後部板１ｂの上端が収納部４ａのストッパ４ｂの下側を潜り抜けるので、そのまま前部抽斗１を押し込むことで、前部抽斗１は収納部４ａに収納させることができる。
以上説明した実施例によれば、前部抽斗１と、この前部抽斗１より高さの低い後部抽斗２を曲折可能な連結材３により連結し、筐体４の収納部４ａの開口部にはストッパ４ｂを設けて、筐体４の収納部４ａから前部抽斗１を引出したとき、前部抽斗１の後部板１ｂの上端がストッパ４ｂに突当たって抜け止めがなされるようにしているため、前部抽斗１を引出しても高さの低い後部抽斗２の存在を知られることがなく、また後部抽斗２を引出す場合は、前部抽斗１の前部側を持ち上げることにより前部抽斗１を回転させると、前部抽斗１の後部板１ｂの上端が収納部４ａのストッパ４ｂの下側を潜り抜けて後部抽斗２を引出せるので、前部抽斗１の引出し操作と連続的な操作で後部抽斗２を引出すことができることになり、引出し操作の操作性が向上するという効果が得られる。
【００１５】
図３及び図４は本発明の別の実施例を示す要部側面図である。
上述した図１、図２の実施例では、曲折可能な連結材３の前端側を前部抽斗１の後部板１ｂの内面に、後端側を後部抽斗２の前部板２ａの内面にそれぞれ接着剤等で固定することにより前部抽斗１と後部抽斗２を連結しているため、前部抽斗１を引出したとき、連結材３が見える恐れがある。
【００１６】
これを解決するには前部抽斗１の内面と連結材３に同一の彩色を施すことが有効であるが、図３に示したように連結材３の前端側を前部抽斗１の後部板１ｂの外面に接着剤等で固定し、後端側を後部抽斗２の前部板２ａの上面を跨ぐように内面に導いて接着剤等で固定すれば、前部抽斗１を引出したときに連結材３は見えなくなるので、彩色の必要はなくなる。
【００１７】
また、前部抽斗１と後部抽斗２及び筐体４が大型である場合、連結材３に強度が求められるので、このような場合図４に示したように連結材３として蝶番を用い、中心軸３ａを境とした一方の回転可能な取付け板３ｂを前部抽斗１の後部板１ｂの外面に固定し、他方の回転可能な取付け板３ｃを後部抽斗２の前部板２ａの外面に固定する構成としてもよい。
【００１８】
この場合中心軸は後部抽斗２の前部板２ａの上端にくるようにする。
図３及び図４のいずれの構造においても、上述した図１および図２の実施例と同様の操作で、前部抽斗１と後部抽斗２の引出し収納を行うことができ、同様の効果が得られる。
【図面の簡単な説明】
【００１９】
【図１】発明の実施例を示す断面図
【図２】実施例における抽斗の斜視図
【図３】発明の別の実施例を示す要部側面図
【図４】発明の別の実施例を示す要部側面図
【符号の説明】
【００２０】
１    前部抽斗
１ａ  把手
１ｂ  後部板
１ｃ  面取り
２    後部抽斗
２ａ  前部板
３    連結材
３ａ  中心軸
３ｂ  取付け板
４    筐体
４ａ  収納部
４ｂ  ストッパ    
【図１】
0004560684.tif 000002
【図２】
0004560684.tif 000003
【図３】
0004560684.tif 000004
【図４】
0004560684.tif 000005